(57)【要約】  無線通信デバイスは、第１の無線アクセス技術（ＲＡＴ）に従って第１の周波数帯域にわたって第１の無線通信を行ってもよく、無線通信デバイスが第１の無線通信を行っている間に、第２のＲＡＴに従って第１の周波数帯域にわたって行われる第２の無線通信を検出してもよい。無線通信デバイスは次いで、検出された第２の無線通信に基づいて、第１の無線通信に関連した特性及び／又はパラメータを調整してもよい。具体例では、５ＧＨｚ帯域でＷｉ−Ｆｉ通信を行う無線通信デバイスは、無線通信デバイスがＷｉ−Ｆｉ通信を行っている間に、同じく５ＧＨｚ帯域において行われるセルラ通信（例えば、ＬＡＡ／ＬＴＥ−Ｕ通信）を検出してもよい。無線通信デバイスは次いで、セルラ（ＬＡＡ／ＬＴＥ−Ｕ）通信の検出された信号／周波数に基づいて、Ｗｉ−Ｆｉ通信に関連する特性及び／又はパラメータを調整してもよい。
2019511163.tif 000002
【特許請求の範囲】
【請求項１】
情報を記憶するメモリ要素と、
前記情報の少なくとも一部を使用して、無線通信デバイスに、
第１の無線アクセス技術（ＲＡＴ）に従って第１の周波数帯域において、Ｗｉ−Ｆｉ通信を含む第１の無線通信を実行させ、
前記無線通信デバイスが前記第１の無線通信を実行している間に、第２のＲＡＴに従って前記第１の周波数帯域において実行された、セルラ無線通信を含む第２の無線通信を検出させ、
少なくとも検出された前記第２の無線通信に応答し、かつ基づき、前記第１の無線通信を調整させるように構成された処理要素と、を備える装置。
【請求項２】
前記第１の周波数帯域は、前記第２の無線通信のためのアンライセンス周波数帯域である、請求項１に記載の装置。
【請求項３】
前記無線通信デバイスが、
ピアツーピアデバイス、
アクセスポイント、
又はステーション、
の内の１つとして動作する、請求項１に記載の装置。
【請求項４】
前記第２の無線通信を検出するために、前記処理要素は、前記無線通信デバイスに、前記第２のＲＡＴに関連した干渉信号を検出させるように構成されており、
前記干渉信号を検出するために、前記処理要素は、前記無線通信デバイスに、
前記第１の無線通信の間に受信された信号を、第１の帯域に従って帯域通過フィルタに掛けさせて第１のフィルタ処理された信号を生成させ、
前記受信された信号を、第２の帯域に従って帯域通過フィルタに掛けさせて第２のフィルタ処理された信号を生成させ、
前記第１のフィルタ処理された信号及び前記第２のフィルタ処理された信号に基づき、前記干渉信号の存在を決定させる、
ように構成されている、請求項１に記載の装置。
【請求項５】
前記第２の無線通信を検出するために、
前記処理要素は、前記無線通信デバイスに、
前記第１の周波数帯域の全域をスキャンさせること、
前記第１の周波数帯域の特定チャネルを周波数領域においてスキャンさせること、
又は前記第１の周波数帯域の特定チャネルにおいて動作しているときに信号をパッシブに受信させること、の内の１つ以上を実行させるように構成されている、請求項４に記載の装置。
【請求項６】
前記第１の周波数帯域の全域をスキャンするときに、
前記処理要素は、前記無線通信デバイスに、前記第１の周波数帯域に対するパワースペクトル密度（ＰＳＤ）を取得させるように構成されている、請求項５に記載の装置。
【請求項７】
前記処理要素は、更に前記無線通信デバイスに、前記取得されたＰＳＤの、前記第２のＲＡＴに関連した特定の信号に対する相関を実行させ、前記相関に基づいて前記第２のＲＡＴに関連する干渉信号を検出させるように構成されている、請求項６に記載の装置。
【請求項８】
前記処理要素は、更に前記無線通信デバイスに、前記第１の無線通信中に受信された信号の自己相関フーリエ変換を実行させることによって、前記ＰＳＤを取得させるように構成されている、請求項６に記載の装置。
【請求項９】
前記第２の無線通信を検出するために、前記処理要素は、前記無線通信デバイスが前記第１の無線通信を実行している間に、前記無線通信デバイスに、前記第２のＲＡＴに関連する１つ以上の同期信号を検出させるように構成されている、請求項１に記載の装置。
【請求項１０】
前記無線通信デバイスは、前記第２の無線通信が実行される既知の周波数及び／又は既知のチャネルのリストを用いて事前設定される、請求項１に記載の装置。
【請求項１１】
無線通信デバイスであって、
第１の無線アクセス技術（ＲＡＴ）に従う前記無線通信デバイスの無線通信を促進するように構成された第１の無線回路と、
第２のＲＡＴに従う前記無線通信デバイスの無線通信を促進するように構成された第２の無線回路と、
前記第１の無線回路及び前記第２の無線回路と相互動作し、前記無線通信デバイスに、
前記第１のＲＡＴに従って第１の周波数帯域において第１の無線通信を実行させ、
前記無線通信デバイスが前記第１の無線通信を実行している間に、前記第２のＲＡＴに従って前記第１の周波数帯域において実行された第２の無線通信を検出させ、
少なくとも検出された前記第２の無線通信に応答し、かつ基づき、前記第１の無線通信を調整させるように構成された処理要素と、
を備える無線通信デバイス。
【請求項１２】
前記第２の無線通信を検出するために、前記処理要素は、
前記第１の無線回路及び前記第２の無線回路と相互動作して、前記無線通信デバイスに、前記第２のＲＡＴに関連する干渉信号を検出させるように構成されており、
前記干渉信号を検出するために、前記処理要素は、前記第１の無線回路及び前記第２の無線回路と相互動作し、前記無線通信デバイスに、
前記第１の無線通信の間に受信された信号を、第１の帯域に従って帯域通過フィルタに掛けさせて第１のフィルタ処理された信号を生成させ、
前記受信された信号を、第２の帯域に従って帯域通過フィルタに掛けさせて第２のフィルタ処理された信号を生成させ、
前記第１のフィルタ処理された信号及び前記第２のフィルタ処理された信号に基づき、前記干渉信号の存在を決定させるように構成されている、請求項１１に記載の無線通信デバイス。
【請求項１３】
前記第２の無線通信を検出するために、前記処理要素は、前記第１の無線回路及び前記第２の無線回路と相互動作し、前記無線通信デバイスに、
前記第１の周波数帯域の全域をスキャンさせること、
前記第１の周波数帯域の特定チャネルを周波数領域においてスキャンさせること、
又は前記第１の周波数帯域の特定チャネルにおいて動作しているときに信号をパッシブに受信させること、の内の１つ以上を実行させるように構成されている、請求項１２に記載の無線通信デバイス。
【請求項１４】
前記処理要素は、前記第１の無線回路及び前記第２の無線回路と相互動作し、
更に前記無線通信デバイスに、
前記第１の周波数帯域の全域をスキャンするときに、前記第１の周波数帯域に対するパワースペクトル密度（ＰＳＤ）を取得させ、
前記取得されたＰＳＤの、前記第２のＲＡＴに関連した特定の信号に対する相関を実行させ、
前記相関に基づいて前記第２のＲＡＴに関連する干渉信号を検出させるように構成されている、請求項１３に記載の無線通信デバイス。
【請求項１５】
前記第２の無線通信を検出するために、前記処理要素は、前記第１の無線回路及び前記第２の無線回路と相互動作し、前記無線通信デバイスに、前記無線通信デバイスが前記第１の無線通信を実行している間に、前記第２のＲＡＴに関連する１つ以上の同期信号を検出させるように構成されている、請求項１１に記載の無線通信デバイス。
【請求項１６】
無線通信デバイスに、
第１の無線アクセス技術（ＲＡＴ）に従って第１の周波数帯域において第１の無線通信を実行させ、
前記無線通信デバイスが前記第１の無線通信を実行している間に、第２のＲＡＴに従って前記第１の周波数帯域において実行された第２の無線通信を検出させ、
少なくとも検出された前記第２の無線通信に応答し、かつ基づき、前記第１の無線通信を調整させる、
ように、処理要素によって実行可能な命令を記憶している非一時的記憶要素。
【請求項１７】
前記命令は、更に前記無線通信デバイスに、
前記第２の無線通信を検出するために、前記第２のＲＡＴに関連した干渉信号を検出させ、
前記干渉信号を検出するために、
前記第１の無線通信の間に受信された信号を、第１の帯域に従って帯域通過フィルタに掛けさせることにより、第１のフィルタ処理された信号を生成させ、
前記受信された信号を、第２の帯域に従って帯域通過フィルタに掛けさせることにより、第２のフィルタ処理された信号を生成させ、
前記第１のフィルタ処理された信号及び前記第２のフィルタ処理された信号に基づき、前記干渉信号の存在を決定させる、
ように、前記処理要素によって実行可能である、請求項１６に記載の非一時的記憶要素。
【請求項１８】
前記命令は、更に前記無線通信デバイスに、前記第２の無線通信を検出するために、
前記第１の周波数帯域の全域をスキャンさせること、
前記第１の周波数帯域の特定チャネルを周波数領域においてスキャンさせること、
又は前記第１の周波数帯域の特定チャネルにおいて動作しているときに信号をパッシブに受信させること、の内の以上の１つを実行させるように、前記処理要素によって実行可能である、請求項１７に記載の非一時的記憶要素。
【請求項１９】
前記命令は、更に前記無線通信デバイスに、
前記第１の周波数帯域の全域をスキャンするときに、前記第１の周波数帯域に対するパワースペクトル密度（ＰＳＤ）を取得させ、
前記取得されたＰＳＤの、前記第２のＲＡＴに関連した特定の信号に対する相関を実行させ、
前記相関に基づいて前記第２のＲＡＴに関連する干渉信号を検出させる、
ように、前記処理要素によって実行可能である、請求項１８に記載の非一時的記憶要素。
【請求項２０】
前記命令は、更に前記無線通信デバイスに、前記第２の無線通信を検出するために、前記無線通信デバイスが前記第１の無線通信を実行している間に、前記第２のＲＡＴに関連する１つ以上の同期信号を検出させるように、前記処理要素によって実行可能である、請求項１６に記載の非一時的記憶要素。
【発明の詳細な説明】
【技術分野】
【０００１】
本出願は無線通信に関し、より詳細にはＬＡＡ／ＬＴＥ−Ｕ伝送のＷｉ−Ｆｉ通信への影響を緩和することに関する。
【背景技術】
【０００２】
無線通信システムの利用が急速に広がっている。近年、スマートフォンやタブレットコンピュータなどの無線デバイスは益々洗練されてきている。現在、多くのモバイルデバイス（すなわち、ユーザ機器デバイス、又はＵＥ）は、電話への対応に加え、インターネット、電子メール、テキストメッセージング、及び全地球測位システム（ＧＰＳ）を用いたナビゲーションへのアクセスを提供し、これらの機能を利用する洗練されたアプリケーションを動作させることができる。加えて、数多くの異なる無線通信技術及び標準規格が存在する。無線通信規格の一例として、ＧＳＭ、ＵＭＴＳ（ＷＣＤＭＡ、ＴＤＳ−ＣＤＭＡ）、ＬＴＥ、ＬＴＥ  Ａｎｖａｎｃｅｄ（ＬＴＥ−Ａ）、ＨＳＰＡ、３ＧＰＰ２  ＣＤＭＡ２０００（例えば１ｘＲＴＴ、１ｘＥＶ−ＤＯ、ＨＲＰＤ、ｅＨＲＰＤ）、ＩＥＥＥ８０２．１１（ＷＬＡＮ、又はＷｉ−Ｆｉ）、ＩＥＥＥ８０２．１６（ＷｉＭＡＸ）、ＢＬＵＥＴＯＯＴＨ（商標）等が挙げられる。
【０００３】
無線通信デバイスに導入される絶えず増えつつある特徴及び機能はまた、無線通信と無線通信デバイスの両方を改善する継続的な必要性を生んでいる。特に、ユーザ機器（ＵＥ）デバイスを介して、例えば無線セルラ通信で使用されるセルラ電話、基地局、及び中継局などの無線デバイスを介して送信及び受信された信号の精度を確保することが重要である。加えて、ＵＥデバイスの機能性を増加させることにより、ＵＥデバイスの電池寿命に大きな負荷が課され得る。従って、通信を改善するためにＵＥデバイスが良好な送信及び受信能力を維持できるようにする一方で、ＵＥデバイスの所要電力を削減することも非常に重要である。
【０００４】
携帯電話又はスマートフォン、ポータブルゲーミングデバイス、ラップトップ、ウェアラブルデバイス、ＰＤＡ、タブレット、ポータブルインターネットデバイス、音楽プレイヤ、データ記憶デバイス、又は他のハンドヘルドデバイス等であってもよいＵＥは、様々な無線通信標準（ＬＴＥ、ＬＴＥ−Ａ、Ｗｉ−Ｆｉ、ＢＬＵＥＴＯＯＴＨ（商標）等）によって定義される複数の無線アクセス技術（ＲＡＴ）のサポートを可能とする複数の無線インタフェースを有してもよい。無線インタフェースは、様々なアプリケーションによって使用される場合があり、複数の無線インタフェースの存在により、ＵＥは、同時に複数の無線インタフェースを介して（例えばＬＴＥ／ＬＴＥ−Ａ及びＢＬＵＥＴＯＯＴＨ（商標）を介して）、アプリケーションのエンドツーエンドの性能に影響を与えることなく、そのアプリケーションをシームレスに実行するためのモビリティソリューションを実施することを余儀なくされる場合がある。すなわち、ＵＥは、複数のＲＡＴ（例えば、ＬＴＥ／ＬＴＥ−Ａ及びＢＬＵＥＴＯＯＴＨ（商標））に対応する複数の無線インタフェースを同時に運用するためのモビリティソリューションを実施することが必要であり得る。
【０００５】
上記の通信規格に加えて、特定のセルラネットワークにおいて送信カバレッジを拡大することを目的とした拡張も存在する。例えば、アンライセンススペクトラム（ＬＴＥ−Ｕ）におけるＬＴＥは、多数のＷｉ−Ｆｉデバイスによっても使用されるアンライセンス５ＧＨｚ帯域で送信することによって、セルラ電話キャリアがそのセルラネットワーク内のカバレッジを拡大することを可能にする。ライセンス補助アクセス（ＬＡＡ）は、リッスンビフォアトーク（ＬＢＴ）と呼ばれる競合プロトコルを使用して、Ｗｉ−Ｆｉ帯域におけるＬＴＥの動作を標準化することを目的として同様の技術を記述し、同一帯域上の他のＷｉ−Ｆｉデバイスとの共存を促進する。しかし、同一帯域におけるセルラ通信とＷｉ−Ｆｉ通信の共存により、Ｗｉ−Ｆｉ信号及びＬＡＡ／ＬＴＥ−Ｕ信号の両方が存在する場合に、依然としてデータスループットの劣化及び／又はストリーミングアプリケーション（データストリーミング）の性能低下という結果になり得る。
【発明の概要】
【０００６】
とりわけ、Ｗｉ−Ｆｉ通信を行う際にＬＡＡ／ＬＴＥ−Ｕ信号を検出し、これらＬＡＡ／ＬＴＥ−Ｕ信号のＷｉ−Ｆｉ通信上への影響を緩和する方法の実施形態が本明細書に提示される。本明細書では、無線通信システム内で互いに通信する、ユーザ機器（ＵＥ）デバイス及び／又は基地局、並びにアクセスポイント（ＡＰ）を含む無線通信システムのための実施形態が更に提示される。
【０００７】
いくつかの実施形態では、無線通信デバイスは、第１の無線アクセス技術（ＲＡＴ）に従って第１の周波数帯域にわたって第１の無線通信を行ってもよく、また第１の無線通信を行っている間に、第２のＲＡＴに従って第１の周波数帯域にわたって行われる第２の無線通信を検出してもよい。無線通信デバイスは次いで、少なくとも検出された第２の無線通信に応答して、かつそれに基づいて、第１の無線通信に関連した特性及び／又はパラメータを調整してもよい。例えば、様々な実施形態では、５ＧＨｚ帯域でＷｉ−Ｆｉ通信を行う無線通信デバイスは、無線通信デバイスがＷｉ−Ｆｉ通信を行っている間に、同じく５ＧＨｚ帯域において行われるセルラ通信（例えば、ＬＡＡ／ＬＴＥ−Ｕ通信）を検出してもよい。無線通信デバイスは次いで、少なくともセルラ（ＬＡＡ／ＬＴＥ−Ｕ）通信の検出された信号／周波数に基づいて、Ｗｉ−Ｆｉ通信に関連する特性及び／又はパラメータを調整してもよい。
【０００８】
本明細書に記載された技術は、基地局、アクセスポイント、セルラ電話、ポータブルメディアプレイヤ、タブレットコンピュータ、ウェアラブルデバイス、及び様々な他のコンピューティングデバイスを含むがこれらに限られない、複数の異なるタイプのデバイス内に実施され、及び／又はそれらデバイスと共に用いられてもよいことに留意されたい。
【０００９】
本概要は、本明細書に記載されている主題の一部についての概要を提供することを意図している。従って、上述の特徴は単なる例であり、本明細書に記載される主題の範囲又は趣旨を決して狭めるように解釈すべきではないことが理解されよう。本明細書に記載された主題の他の特徴、態様、及び利点は、以下の詳細な説明、図面及び特許請求の範囲から明らかとなるであろう。
【図面の簡単な説明】
【００１０】
【図１】いくつかの実施形態による、例示的（そして簡略化された）無線通信システムを示す。
【００１１】
【図２】いくつかの実施形態による、例示的無線ユーザ機器（ＵＥ）デバイスと通信する例示的基地局を示す。
【００１２】
【図３】いくつかの実施形態による、例示的ＵＥのブロック図を示す。
【００１３】
【図４】いくつかの実施形態による、例示的基地局のブロック図を示す。
【００１４】
【図５】いくつかの実施形態による、例示的無線通信システムを示す。
【００１５】
【図６】複数の異なるデバイスがＷｉ−Ｆｉを使用して、２．４ＧＨｚ及び／又は５ＧＨｚの周波数帯域などの特定帯域にわたって互いに通信することができる例示的通信システムを示す。
【００１６】
【図７】典型的なライセンスアシステッドアクセス（ＬＡＡ）制御及びデータスケジューリングの例を示す。
【００１７】
【図８】リッスンビフォアトーク（ＬＢＴ）手順のための例示的フローチャートを示す。
【００１８】
【図９】ＬＡＡ  ＬＢＴのための各種パラメータに対する例示的な値を有するテーブルを示す。
【００１９】
【図１０】Ｗｉ−Ｆｉ  拡張分散調整機能（Enhanced Distributed Coordination Function：ＥＤＣＦ）に対する各種パラメータに対する例示的な値を有するテーブルを示す。
【００２０】
【図１１】ロングタームエボリューション（ＬＴＥ）信号のための異なるチャネルＢＷ構成に対応する、それぞれの最小出力電力及び送信帯域幅（ＢＷ）の例示的な値を有するテーブルを示し、更に特定のＷｉ−Ｆｉ信号に対する適用可能な周波数スペクトルにわたる最小出力電力をプロットした例示的ダイアグラムを示す。
【００２１】
【図１２】いくつかの実施形態による、帯域通過フィルタ処理及び電力推定を用いてＬＡＡ信号を検出するための例示的方法を表すブロック図を示す。
【００２２】
【図１３】いくつかの実施形態による、パワースペクトル密度（ＰＳＤ）推定を表す例示的なブロック図を示す。
【００２３】
【図１４】サブフレーム内のサブフレーム及びタイムスロットを示す１次同期信号（ＰＳＳ）及び２次同期信号（ＳＳＳ）がいつ送信されるかを示す、例示的な無線フレームのダイアグラムを示す。
【００２４】
【図１５】いくつかの実施形態による、ＬＴＥ  ＰＳＳを検出するために受信信号とＺａｄｏｆｆ−Ｃｈｕシーケンスとの間のｘ相関を行うＷｉ−Ｆｉコントローラの例示的なシステム／方法を表す制御線図を示す。
【００２５】
【図１６】図１５のＺａｄｏｆｆ−Ｃｈｕシーケンス３４に関する信号線図のより詳細な例を示す。
【００２６】
【図１７】いくつかの実施形態による、Ｗｉ−Ｆｉ通信に対するＬＡＡの影響を緩和するための、無線通信デバイス内のアーキテクチャレイヤ間の干渉を表すブロック図を示す。
【００２７】
【図１８】いくつかの実施形態による、ピアツーピア動作モードにおけるＷｉ−Ｆｉ通信に対するＬＡＡの影響を緩和する例示的方法のフロー図を示す。
【００２８】
【図１９】いくつかの実施形態による、アクセスポイント（ＡＰ）動作モードにおけるＷｉ−Ｆｉ通信に対するＬＡＡの影響を緩和する例示的方法のフロー図を示す。
【００２９】
【図２０】いくつかの実施形態による、ステーション動作モードにおけるＷｉ−Ｆｉ通信に対するＬＡＡの影響を緩和する例示的方法のフロー図を示す。
【００３０】
本明細書で説明される特徴は、様々な修正形態及び代替形態を許容するが、その特定の実施形態を図面において例として示し、ここで詳細に説明する。しかし、図面及びそれらに対する詳細な説明は、開示されている特定の形態に限定することを意図するものではなく、逆に、その意図は、添付の「特許請求の範囲」によって定義されるような本主題の趣旨及び範囲内に収まる、全ての修正、均等物、及び代替物を包含することである点を理解されたい。
【発明を実施するための形態】
【００３１】
略称
様々な略称が本出願を通して使用される。本出願を通じて出現し得る最も顕著に使用される頭字語の定義を以下に示す。
・ＡＭＲ−ＷＢ：適応マルチレート広帯域
・ＡＰ：アクセスポイント
・ＡＰＮ：アクセスポイント名
・ＡＰＲ：アプリケーションプロセッサ
・ＢＳ：基地局
・ＢＳＲ：バッファサイズレポート
・ＣＭＲ：チェンジモードリクエスト
・ＤＬ：（ＢＳからＵＥへの）ダウンリンク
・ＤＹＮ：動的
・ＥＤＣＦ：拡張分散調整機能
・ＦＤＤ：周波数分割複信
・ＦＯ：１次状態
・ＦＴ：フレームタイプ
・ＧＰＲＳ：汎用パケット無線サービス
・ＧＳＭ：移動体通信グローバルシステム
・ＧＴＰ：ＧＰＲＳトンネリングプロトコル
・ＩＲ：初期化及びリフレッシュ状態
・ＬＡＮ：ローカルエリアネットワーク
・ＬＢＴ：リッスンビフォアトーク
・ＬＴＥ：ロングタームエボリューション
・ＰＤＣＰ：パケットデータ収束プロトコル
・ＰＤＮ：パケットデータネットワーク
・ＰＤＵ：プロトコルデータユニット
・ＰＧＷ：ＰＤＮゲートウェイ
・ＰＳＤ：パワースペクトル密度
・ＰＳＳ：１次同期信号
・ＰＴ：ペイロードタイプ
・ＲＡＴ：無線アクセス技術
・ＲＦ：無線周波数
・ＲＯＨＣ：ロバストヘッダ圧縮
・ＲＴＰ：リアルタイムトランスポートプロトコル
・ＲＸ：受信／受信する
・ＳＩＤ：システム識別番号
・ＳＧＷ：サービングゲートウェイ
・ＳＳＳ：２次同期信号
・ＴＢＳ：トランスポートブロックサイズ
・ＴＤＤ：時分割複信
・ＴＸ：送信／送信する
・ＵＥ：ユーザ機器
・ＵＬ：（ＵＥからＢＳへの）アップリンク
・ＵＭＴＳ：ユニバーサル移動体通信システム
・Ｗｉ−Ｆｉ：米国電気電子学会（ＩＥＥＥ）８０２．１１標準に基づく、無線ローカルエリアネットワーク（ＷＬＡＮ）のＲＡＴ
・ＷＬＡＮ：無線ＬＡＮ
用語
以下は本明細書で出現し得る用語集である。
【００３２】
メモリ媒体−任意の各種タイプのメモリデバイス又は記憶デバイス用語「メモリ媒体」は、インストール媒体、例えば、ＣＤ−ＲＯＭ、フロッピーディスク又はテープデバイス、ＤＲＡＭ、ＤＤＲ  ＲＡＭ、ＳＲＡＭ、ＥＤＯ  ＲＡＭ、Ｒａｍｂｕｓ  ＲＡＭなどの、コンピュータシステムメモリ又はランダムアクセスメモリ、フラッシュ、磁気媒体、例えばハードドライブ、又は光記憶装置などの、不揮発性メモリ、レジスタ、又は他の同様のタイプの記憶要素などを含むことが意図されている。この記憶媒体は、他のタイプのメモリ、並びにそれらの組み合わせも含み得る。加えて、記憶媒体は、プログラムが実行される第１のコンピュータシステムに位置してもよく、又はインターネットなどのネットワークを通じて第１のコンピュータシステムに接続する、第２の異なるコンピュータシステムに位置してもよい。後者の場合には、第２のコンピュータシステムは、第１のコンピュータシステムに、実行するためのプログラム命令を提供することができる。用語「記憶媒体」は、異なる位置、例えば、ネットワークを通じて接続された異なるコンピュータシステムに存在することができる２つ以上の記憶媒体を含んでもよい。
【００３３】
キャリア媒体−上述のようなメモリ媒体、並びにバス、ネットワークなどの物理的伝送媒体、及び／又は電気信号、電磁信号、又はデジタル信号などの信号を伝送する他の物理的伝送媒体。
【００３４】
コンピュータシステム（又はコンピュータ）−パーソナルコンピュータシステム（ＰＣ）、メインフレームコンピュータシステム、ワークステーション、ネットワーク機器、インターネット機器、パーソナルデジタルアシスタント（ＰＤＡ）、テレビシステム、グリッドコンピューティングシステム、若しくは他のデバイス又はデバイスの組み合わせを含む、任意の各種タイプのコンピューティングシステム又は処理システム。一般に、用語「コンピュータシステム」は、メモリ媒体からの命令を実行する少なくとも１つのプロセッサを有する任意のデバイス（又はデバイスの組み合わせ）を包含するように広く定義されてもよい。
【００３５】
ユーザ機器（ＵＥ）（又は「ＵＥデバイス」）−無線通信を行う任意の各種タイプのコンピュータシステムデバイス。無線通信デバイスとも呼ばれ、その多くはモバイル及び／又は携帯可能である。ＵＥデバイスの例は、携帯電話又はスマートフォン（例えばｉＰｈｏｎｅ（商標）、Ａｎｄｒｏｉｄ（商標）ベースの電話）、ｉＰａｄ（商標）、Ｓａｍｓｕｎｇ  Ｇａｌａｘｙ（商標）等のタブレットコンピュータ、ゲーミングデバイス（例えば、ＳＯＮＹ  ＰｌａｙＳｔａｔｉｏｎ（商標）、Ｍｉｃｒｏｓｏｆｔ  Ｘｂｏｘ（商標）等）、ポータブルゲーミングデバイス（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｏｄ（商標））、ラップトップ、ウェアラブルデバイス（例えばＡｐｐｌｅ  Ｗａｔｃｈ（商標）、Ｇｏｏｇｌｅ  Ｇｌａｓｓ（商標））、ＰＤＡ、ポータブルインターネットデバイス、音楽プレイヤ、データ記憶デバイス、又は他のハンドヘルドデバイス等を含む。様々な他のタイプのデバイスが、それらがＷｉ−Ｆｉ又はセルラとＷｉ−Ｆｉの両方の通信機能、例えばＢＬＵＥＴＯＯＴＨ（商標）等の短距離無線アクセス技術（ＳＲＡＴ）を介した他の無線通信機能、を含むならば、このカテゴリに入るだろう。一般に、用語「ＵＥ」又は「ＵＥデバイス」は、無線通信が可能であり、かつ可搬／モバイルでもあり得る、任意の電子、コンピューティング、及び／又は電気通信デバイス（又はデバイスの組み合わせ）を包含するように広範に定義されてもよい。
【００３６】
基地局（ＢＳ）−用語「基地局」は、その通常の意味の全てを有し、少なくとも、固定位置に設置され、無線電話システム又は無線システムの一部として通信するために使用される無線通信局を含む。
【００３７】
処理要素−デバイス、例えばユーザ機器デバイスにおいて又はセルラネットワークデバイスにおいて、１つ以上の機能を実行することができ、及び／又は、ユーザ機器デバイス又はセルラネットワークデバイスに１つ以上の機能を実行させる、様々な要素又は要素の組み合わせを指す。処理要素は、例えば、プロセッサ及び関連するメモリ、個別のプロセッサコアの一部又は回路、プロセッサコア全体、プロセッサアレイ、ＡＳＩＣ（特定用途向け集積回路）などの回路、フィールドプログラマブルゲートアレイ（ＦＰＧＡ）などのプログラム可能なハードウェア要素、並びに上述のものの任意の様々な組み合わせを含んでもよい。
【００３８】
無線デバイス（又は無線通信デバイス）−ＷＬＡＮ通信、ＳＲＡＴ通信、Ｗｉ−Ｆｉ通信等を使用して無線通信を実行する各種タイプのコンピュータシステムデバイスのいずれか。本明細書で使用するとき、用語「無線デバイス」は、上で定義されたようなＵＥデバイス、若しくは据置型無線クライアント又は無線基地局などの据置型デバイスを指してもよい。例えば、無線デバイスは、アクセスポイント（ＡＰ）又はクライアント局（ＵＥ）などの、８０２．１１システムの任意のタイプの無線局、若しくは例えば基地局又はセルラ電話などの、セルラ無線アクセス技術（例えば、ＬＴＥ、ＣＤＭＡ、ＧＳＭ）に従って通信する、セルラ通信システムの任意のタイプの無線局とすることができる。
【００３９】
Ｗｉ−Ｆｉ−用語「Ｗｉ−Ｆｉ」は、その通常の意味の全範囲を有するものであり、無線ＬＡＮ（ＷＬＡＮ）アクセスポイントによってサービスが提供され、これらのアクセスポイントを通じてインターネットへの接続性を提供する、無線通信ネットワーク又はＲＡＴを少なくとも含む。最新のＷｉ−Ｆｉネットワーク（又は、ＷＬＡＮネットワーク）は、ＩＥＥＥ８０２．１１標準規格に基づくものであり、「Ｗｉ−Ｆｉ」という名称で市場に出ている。Ｗｉ−Ｆｉ（ＷＬＡＮ）ネットワークは、セルラネットワークとは異なるものである。
【００４０】
自動的に−ユーザ入力が、アクション又は動作を直接指定又は実行することなく、コンピュータシステム（例えば、コンピュータシステムによって実行されるソフトウェア）又はデバイス（例えば、回路機構、プログラム可能ハードウェア要素、ＡＳＩＣなど）によって、それらのアクション又は動作が実行されることを指す。従って、用語「自動的」は、ユーザが入力を提供して操作を直接実行するような、ユーザによって手動で実行され又は指定される操作とは対照的である。自動手順は、ユーザが提供する入力によって開始されてもよいが、「自動的に」実行される後続のアクションはユーザによって指定されるものではなく、すなわち、実行するべき各アクションをユーザが指定する「手動」では実行されない。例えば、ユーザが、各フィールドを選択し、情報を明示する入力を提供することによって（例えば、情報のタイピング、チェックボックスの選択、ラジオボタンの選択などによって）、電子フォームに記入することは、コンピュータシステムが、ユーザアクションに応じて、フォームを更新しなければならない場合であっても、手動でフォームに記入することである。フォームは、コンピュータシステムによって自動的に記入されてもよく、この場合、コンピュータシステム（例えば、コンピュータシステム上で実行されるソフトウェア）は、そのフィールドに対する回答を指定するユーザ入力を何ら使用することなく、そのフォームのフィールドを分析して、フォームに記入する。上述のように、ユーザは、フォームの自動記入を呼び出すことができるが、フォームの実際の記入には関与しない（例えば、ユーザがフィールドに対する回答を手動で指定することはなく、むしろ、それらは自動的に完了される）。本明細書は、ユーザが取った動作に応じて自動的に実行される様々な動作の例を提供する。
【００４１】
ステーション（ＳＴＡ）−ここでの用語「ステーション」は、例えば、８０２．１１プロトコルを用いて、無線で通信する能力を有する任意のデバイスを指す。ステーションは、ラップトップ、デスクトップＰＣ、ＰＤＡ、アクセスポイント又はＷｉ−Ｆｉ電話、若しくはＵＥと類似の任意のタイプのデバイスであってもよい。ＳＴＡは、固定型、モバイル型、可搬、又は着用可能であってもよい。無線ネットワークの用語では、一般的に、ステーション（ＳＴＡ）は、無線通信機能を有する任意のデバイスを広く含み、従ってステーション（ＳＴＡ）、無線クライアント（ＵＥ）、ノード（ＢＳ）という用語は、多くの場合、互いに交換可能に用いられる。
【００４２】
構成されている−様々な要素が、タスクを実行する「ように構成されている」と説明され得る。そのような文脈において「構成されている」は、動作中のタスクを実行する「構造を有する」ことを一般的に意味する広範な説明である。このように、要素は、タスクを現在実行していない場合であっても、そのタスクを実行するように構成することができる（例えば、一組の電気導体は、２つのモジュールが接続されていなくても、モジュールを別のモジュールへ電気的に接続するように構成されていてもよい）。いくつかの文脈において、「構成されている」は、動作中のタスクを実行する「回路を有する」ことを一般的に意味する広範な説明であってもよい。このように、要素は、現在オンでなくても、そのタスクを実行するように構成することができる。一般に、「構成されている」に対応する構造を形成する回路は、ハードウェア回路を含んでもよい。
【００４３】
本明細書の記載では、便宜上、様々な要素がタスクを実行するように説明され得る。そのような説明は、語句「構成されている」を含むように解釈されるべきである。１つ以上のタスクを実行するように構成されている要素の説明は、米国特許法１１２条第６パラグラフのその要素についての解釈を引き起こさないことが、明確に意図されている。
図１及び図２−例示的通信システム
【００４４】
図１は、いくつかの実施形態による、例示的（そして簡略化された）無線通信システムを示す。図１のシステムは、可能なシステムの単なる一例であり、実施形態は、要望に応じて、各種システム内のいずれかにおいて実施されてもよいことに留意されたい。
【００４５】
図示するように、例示的無線通信システムは、伝送媒体を介して１つ以上のユーザデバイス１０６−１〜１０６−Ｎと通信する基地局１０２を含む。ユーザデバイスの各々は、本明細書では「ユーザ機器」（ＵＥ）又はＵＥデバイスと呼ばれ得る。従って、ユーザデバイス１０６は、ＵＥ又はＵＥデバイスと呼ばれる。ＵＥデバイスの様々なものは、本明細書で詳述するように、新しいカテゴリ「定義」に従って動作してもよい。
【００４６】
基地局１０２は、無線基地局（ＢＴＳ）又はセル基地局であってもよく、ＵＥ１０６Ａ〜１０６Ｎとの無線通信を可能にするハードウェアを含んでもよい。また、基地局１０２は、ネットワーク１００（例えば、様々な可能性の内、セルラサービスプロバイダのコアネットワーク、公衆交換電話網（ＰＳＴＮ）などの電気通信ネットワーク、及び／又はインターネット）と通信するために装備されていてもよい。従って、基地局１０２は、ユーザデバイス間の、及び／又はユーザデバイスとネットワーク１００間との間の通信を促進してもよい。基地局の通信エリア（又はカバレッジ領域）は「セル」と呼ばれ得る。「セル」はまた、所与の周波数における所与のカバレッジ領域に対して論理的識別を指し得ることにも留意すべきである。一般に、任意の独立したセルラ無線カバレッジ領域は「セル」と呼ばれ得る。そのような場合、基地局は３つのセルの特定の合流点に位置してもよい。基地局は、この均一なトポロジにおいて、セルとして参照される１２０度のビーム幅の３つのエリアをサービスすることができる。また、キャリアアグリゲーションの場合、小セル、リレー等は各々がセルを表してもよい。従って、特にキャリアアグリゲーションにおいて、少なくとも部分的にオーバーラップするカバレッジ領域を異なるそれぞれの周波数でサービスし得るプライマリセル及びセカンダリセルがあり得る。例えば、基地局は、任意の数のセルを提供することができ、基地局によってサービスされるセルは、コロケートされていてもいなくてもよい（例えば、リモートラジオヘッド）。また本明細書で使用する場合、ＵＥの観点から、基地局は、ＵＥのアップリンク及びダウンリンク通信に関する限り、ネットワークを表すと考えられる場合がある。従って、ネットワーク内の１つ以上の基地局と通信するＵＥは、ネットワークと通信するＵＥと解釈されてもよい。
【００４７】
基地局１０２及びユーザデバイスは、無線通信技術とも呼ばれる様々な無線アクセス技術（ＲＡＴ）のいずれか、又はＧＳＭ、ＵＭＴＳ（ＷＣＤＭＡ）、ＬＴＥ、ＬＴＥ−Ａｄｖａｎｃｅｄ（ＬＴＥ−Ａ）、ＬＡＡ／ＬＴＥ−Ｕ、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ、ＷｉＭＡＸ等の電気通信標準のいずれかを用いる伝送媒体を通じて通信するように構成されていてもよい。いくつかの実施形態では、基地局１０２は、好ましくは、ＬＴＥ又は類似のＲＡＴ標準を通じて、改善されたＵＬ（アップリンク）及びＤＬ（ダウンリンク）のデカップリングを用いて少なくとも１つのＵＥと通信する。
【００４８】
ＵＥ１０６は、複数の無線通信標準を用いて通信することが可能であってもよい。例えば、ＵＥ１０６は、（ＬＴＥなどの）３ＧＰＰのセルラ通信標準と、（セルラ通信標準のＣＤＭＡ２０００ファミリにおけるセルラ通信標準などの）３ＧＰＰ２セルラ通信標準、のいずれか又は両方を用いて通信するように構成されていることもある。従って、基地局１０２と同一の又は異なるセルラ通信標準に従って動作する同様の他の基地局は、１つ以上のセルラ通信標準を介して広範な地理的エリアにわたって連続した又はほぼ連続したオーバーラップするサービスをＵＥ１０６及び同様のデバイスに提供し得る、１つ以上のセルのネットワークとして提供され得る。
【００４９】
ＵＥ１０６は、更に又は代替的に、ＷＬＡＮ、ＢＬＵＥＴＯＯＴＨ（商標）、１つ以上のグローバルナビゲーション衛星システム（ＧＮＳＳ、例えばＧＰＳ又はＧＬＯＮＡＳＳ）、１つ及び／又は複数の移動体テレビ放送標準（例えばＡＴＳＣ−Ｍ／Ｈ又はＤＶＢ−Ｈ）等を用いて通信するように構成されていることもある。無線通信標準の他の組み合わせ（３つ以上の無線通信標準を含む）も可能である。
【００５０】
図２は、いくつかの実施形態による、基地局１０２と通信する例示的なユーザ機器１０６（例えば、デバイス１０６−１〜１０６−Ｎのうちの１つ）を示す。ＵＥ１０６は、携帯電話、ハンドヘルドデバイス、コンピュータ又はタブレット、若しくは実質的に任意のタイプの無線デバイスなどの、無線ネットワーク接続性を有するデバイスであってもよい。ＵＥ１０６は、メモリに記憶されたプログラム命令を実行するように構成されているプロセッサを含んでもよい。ＵＥ１０６は、そのような記憶された命令を実行することにより、本明細書に記載された方法の実施形態のいずれかを実行してもよい。代替として又は加えて、ＵＥ１０６は、本明細書に記載された方法の実施形態のいずれか、又は本明細書に記載された方法の実施形態のいずれかの内の、いずれかの部分を実行するように構成されたＦＰＧＡ（フィールドプログラマブルゲートアレイ）などのプログラム可能なハードウェアを含んでもよい。ＵＥ１０６は、複数の無線通信プロトコルのいずれかを用いて通信するように構成されていてもよい。例えば、ＵＥ１０６は、ＣＤＭＡ２０００、ＬＴＥ、ＬＴＥ−Ａ、ＷＬＡＮ、又はＧＮＳＳのうちの２つ以上を用いて通信するように構成されていてもよい。無線通信標準の他の組み合わせも可能である。
【００５１】
ＵＥ１０６は、１つ以上のＲＡＴ標準に従う無線通信プロトコルの１つ以上を用いて通信するための１つ以上のアンテナを含んでもよい。いくつかの実施形態では、ＵＥ１０６は、複数の無線通信標準間で、受信チェーン及び／又は送信チェーンの１つ以上の部分を共用してもよい。共用される無線機は、無線通信を実行するための、単一のアンテナを含んでもよいし、（例えばＭＩＭＯ用の）複数のアンテナを含んでもよい。代替として、ＵＥ１０６は、ＵＥ１０６が通信に使用するように構成された無線通信プロトコル毎に、別個の送信チェーン及び／又は受信チェーン（例えば別個のアンテナ及び他の無線機構成要素を含む）を含んでもよい。別の代替として、ＵＥ１０６は、複数の無線通信プロトコル間で共用される１つ以上の無線機、及び単一の無線通信プロトコルによって排他的に使用される１つ以上の無線機を含んでもよい。例えば、ＵＥ１０６は、ＬＴＥかＣＤＭＡ２０００  １ｘＲＴＴのどちらかを用いて通信するための共用無線機と、Ｗｉ−Ｆｉ及びＢＬＵＥＴＯＯＴＨ（商標）の各々を用いて通信するための個別の無線機とを含んでもよい。他の構成も可能である。
図３−例示的なＵＥのブロック図
【００５２】
図３は、いくつかの実施形態による、例示的なＵＥ１０６のブロック図を示す。図示するように、ＵＥ１０６は、様々な目的用の部分を含んでもよい、システムオンチップ（ＳＯＣ）３００を含んでもよい。例えば、図示するように、ＳＯＣ３００は、ＵＥ１０６用のプログラム命令を実行し得るプロセッサ（単数又は複数）３０２、及び、グラフィク処理を実行しディスプレイ信号をディスプレイ３６０へ供給し得るディスプレイ回路３０４を含んでもよい。プロセッサ（単数又は複数）３０２はまた、プロセッサ（単数又は複数）３０２からアドレスを受信し、そのアドレスをメモリ（例えばメモリ３０６、読み出し専用メモリ（ＲＯＭ）３５０、ＮＡＮＤフラッシュメモリ３１０）内の領域に変換するように構成されていてもよいメモリ管理ユニット（ＭＭＵ）３４０に、及び／又はディスプレイ回路３０４、無線機３３０、コネクタＩ／Ｆ３２０、及び／又はディスプレイ３６０などの他の回路又はデバイスに結合されてもよい。ＭＭＵ３４０は、メモリ保護及びページテーブル変換又は設定を実行するように構成されていてもよい。いくつかの実施形態では、ＭＭＵ３４０はプロセッサ（単数又は複数）３０２の一部として含まれてもよい。
【００５３】
図示するように、ＳＯＣ３００は、ＵＥ１０６の様々な他の回路に接続されてもよい。例えば、ＵＥ１０６は、（例えばＮＡＮＤフラッシュ３１０を含む）様々なタイプのメモリ、（例えばコンピュータシステムと接続するための）コネクタインタフェース３２０、ディスプレイ３６０、及び（例えばＬＴＥ、ＬＴＥ−Ａ、ＣＤＭＡ２０００、ＢＬＵＥＴＯＯＴＨ（商標）、Ｗｉ−Ｆｉ、ＧＰＳ等のための）無線通信回路を含んでもよい。ＵＥデバイス１０６は、基地局及び／又は他のデバイスと無線通信を実行するための、少なくとも１つのアンテナ（例えば３３５ａ）を、及び場合によっては（例えばアンテナ３３５ａ及び３３５ｂによって図示される）複数のアンテナを含んでもよい。アンテナ３３５ａ及び３３５ｂは一例として示されており、ＵＥデバイス１０６はより少ない、又はより多くのアンテナを含んでもよい。全体として、１つ以上のアンテナを一括してアンテナ（単数又は複数）３３５と呼ぶ。例えば、ＵＥデバイス１０６は、無線回路３３０を使用して無線通信を実行するために、アンテナ（単数又は複数）３３５を用いてもよい。上述のように、いくつかの実施形態において、ＵＥは複数の無線通信標準を用いて無線で通信するように構成されていてもよい。
【００５４】
本明細書で更に後述するように、ＵＥ１０６（及び／又は基地局１０２）は、ＬＡＡ／ＬＴＥ−Ｕ信号を検出し、同一の帯域内ではあるが異なるＲＡＴに従って行われている通信、例えばＷｉ−Ｆｉに従う通信に、それら信号が及ぼす影響を緩和する方法を、少なくともＵＥ１０６に対して実行するためのハードウェア及びソフトウェア構成要素を含んでもよい。従って、いくつかの実施形態では、ＵＥ１０６はＬＡＡ／ＬＴＥ−Ｕ信号を検出し、ＵＥ１０６によって実行されるＷｉ−Ｆｉ通信に対するそれら信号の影響を緩和してもよい。ＵＥデバイス１０６のプロセッサ（単数又は複数）３０２は、例えばメモリ媒体（例えば非一時的コンピュータ可読メモリ媒体）に記憶されたプログラム命令を実行することにより、本明細書に記載される方法の一部又は全部を実行するように構成されていてもよい。他の実施形態では、プロセッサ（単数又は複数）３０２は、ＦＰＧＡ（フィールドプログラマブルゲートアレイ）、又はＡＳＩＣ（特定用途向け集積回路）などのプログラム可能なハードウェア要素として構成されていてもよい。更に、本明細書で開示される様々な実施形態に従って、ＵＥ１０６によるＷｉ−Ｆｉ通信に対する、ＬＡＡ／ＬＴＥ−Ｕ通信の影響の緩和を組み込んだ、ＵＥ１０６による通信を実行するために、プロセッサ（単数又は複数）３０２は図３に示すような他の構成要素と接続されてもよく、及び／又は他の構成要素と相互動作してもよい。具体的には、プロセッサ（単数又は複数）３０２は、ＬＡＡ／ＬＴＥ−Ｕ信号の検出を通じて、ＵＥ１０６のＷｉ−Ｆｉ通信の最適化を要求するような形でＵＥ１０６の通信を促進するために、図３に示すような他の構成要素と結合してもよく、及び／又は他の構成要素と相互動作してもよい。プロセッサ（単数又は複数）３０２はまた、ＵＥ１０６上で動作する様々な他のアプリケーション及び／又はエンドユーザアプリケーションを実行してもよい。
【００５５】
いくつかの実施形態では、無線機３００は様々なそれぞれのＲＡＴ標準のための通信制御に専用の別個のコントローラを含んでもよい。例えば、図３に示すように、無線機３３０は、Ｗｉ−Ｆｉコントローラ３５０、セルラコントローラ（例えばＬＴＥコントローラ）３５２、及びＢＬＵＥＴＯＯＴＨ（商標）コントローラ３５４を含んでもよく、少なくともいくつかの実施形態において、これらのコントローラの１つ以上又は全部が、互いに通信する、及びＳＯＣ３００と（より具体的にはプロセッサ（単数又は複数）３０２と）通信する、対応する集積回路（略してＩＣ又はチップ）として実装されてもよい。例えば、Ｗｉ−Ｆｉコントローラ３５０はセル−ＩＳＭリンク又はＷＣＩインタフェースを介してセルラコントローラ３５２と通信してもよく、及び／又はＢＬＵＥＴＯＯＴＨ（商標）コントローラ３５４はセル−ＩＳＭリンク等を介してセルラコントローラ３５２と通信してもよい。無線機３３０内には３つの個別のコントローラが示されているが、他の実施形態は、ＵＥデバイス１０６に実施され得る様々な異なるＲＡＴのための、より少ない又はより多くの同様のコントローラを有する。
図４−例示的な基地局のブロック図
【００５６】
図４は、いくつかの実施形態による、例示的な基地局１０２のブロック図を示す。図４の基地局は、予想される基地局の一例に過ぎないことに留意されたい。図示するように、基地局１０２は、基地局１０２のためのプログラム命令を実行し得るプロセッサ（単数又は複数）４０４を含んでもよい。プロセッサ（単数又は複数）４０４はまた、プロセッサ（単数又は複数）４０４からアドレスを受信し、そのアドレスをメモリ（例えばメモリ４６０、及び読み出し専用メモリ（ＲＯＭ）４５０）内の領域に変換するように構成され得るメモリ管理ユニット（ＭＭＵ）４４０に、若しくは他の回路又はデバイスに結合されてもよい。
【００５７】
基地局１０２は、少なくとも１つのネットワークポート４７０を含んでもよい。ネットワークポート４７０は、電話網に接続するように構成されており、図１及び図２において上述したように、ＵＥデバイス１０６などの複数のデバイスに、その電話網への接続を提供してもよい。ネットワークポート４７０（又は追加のネットワークポート）は、更に又は代替的に、セルラネットワークに、例えばセルラサービスプロバイダのコアネットワークに接続するように構成されていてもよい。このコアネットワークは、ＵＥデバイス１０６などの複数のデバイスに、移動性に関連するサービス及び／又は他のサービスを提供することができる。場合によっては、ネットワークポート４７０は、コアネットワークを介して電話ネットワークに接続してもよく、及び／又はコアネットワークが（例えば、セルラサービスプロバイダによってサービスされる他のＵＥデバイス間の）電話ネットワークを提供してもよい。
【００５８】
基地局１０２は、少なくとも１つのアンテナ４３４、場合により複数のアンテナを含んでもよい。少なくとも１つのアンテナ４３４が、無線送受信機として動作するように構成されていてもよく、無線機４３０を介してＵＥデバイス１０６と通信するように更に構成されていてもよい。アンテナ４３４は、無線機４３０と通信チェーン４３２を介して通信する。通信チェーン４３２は、受信チェーン、送信チェーン、又はその両方であってもよい。無線機４３０は、ＬＴＥ、ＬＴＥ−Ａ、ＷＣＤＭＡ、ＣＤＭＡ２０００等を含むがこれに限定されない、様々な無線電気通信規格を介して通信するように設計されてもよい。基地局１０２のプロセッサ（単数又は複数）４０４は、本明細書記載の方法の一部又は全部を、例えばメモリ媒体（例えば非一時的コンピュータ可読メモリ媒体）に記憶されたプログラム命令を実行することにより、基地局１０２に対して実行して、ＵＡＡ／ＬＴＥ−Ｕ信号を検出することができ、かつＵＥデバイスによって実施されるＷｉ−Ｆｉ通信に対するそれら信号の影響を緩和することができるＵＥデバイスと通信するように構成されていてもよい。代替として、プロセッサ（単数又は複数）４０４は、ＦＰＧＡ（フィールドプログラマブルゲートアレイ）、又はＡＳＩＣ（特定用途向け集積回路）、又はこれらの組み合わせなどのプログラム可能なハードウェア要素として構成されていてもよい。所定のＲＡＴ、例えばＷｉ−Ｆｉの場合、基地局１０２はアクセスポイント（ＡＰ）として設計されてもよく、この場合ネットワークポート４７０は、ワイドエリアネットワーク及び／又はローカルエリアネットワーク（単数又は複数）への接続を提供するように実装されてもよく、例えば、少なくとも１つのイーサネットポートを含んでもよく、無線機４３０は、Ｗｉ−Ｆｉ規格に従って通信するように設計されてもよい。基地局１０２は、本明細書で開示したような様々な方法に従って動作して、モバイルデバイスによって（また）行われるＷｉ−Ｆｉ通信に対するＬＡＡ／ＬＴＥ−Ｕ信号の存在及び影響を緩和できるモバイルデバイスと通信してもよい。
図５−例示的な通信システム
【００５９】
図５は、いくつかの実施形態による例示的な無線通信システム５００を示す。システム５００は、ＬＴＥアクセスネットワーク及びＷｉ−Ｆｉ無線アクセスネットワークが実現されたシステムである。システム５００は、ＵＥ１０６及びＬＴＥネットワーク５０４及びＷｉ−Ｆｉネットワーク５０６を含んでもよい。
【００６０】
ＬＴＥアクセスネットワーク５０４は、第１のＲＡＴアクセスのいくつかの実施形態の典型であり、Ｗｉ−Ｆｉアクセスネットワーク５０６は、第２のＲＡＴアクセスのいくつかの実施形態の典型である。ＬＴＥアクセスネットワーク５０４は、より広範なセルラネットワーク（例えば、ＬＴＥネットワーク）とインタフェースしてもよく、及びＷｉ−Ｆｉアクセスネットワーク５０６はインターネット５１４とインタフェースしてもよい。より具体的には、ＬＴＥアクセスネットワーク５０４はサービング基地局（ＢＳ）５０８とインタフェースしてもよく、サービング基地局（ＢＳ）５０８は次いで、より広範なセルラネットワーク５１６へのアクセスを提供してもよい。Ｗｉ−Ｆｉアクセスネットワーク５０６は、アクセスポイント（ＡＰ）５１０とインタフェースしてもよく、アクセスポイント（ＡＰ）５１０は次いで、インターネット５１４へのアクセスを提供してもよい。従って、ＵＥ１０６は、ＡＰ５１０を介してインターネット５１４にアクセスしてもよく、ＬＴＥアクセスネットワーク５０４を介してセルラネットワーク５１６にアクセスしてもよい。図示されていないが、いくつかの実施形態では、ＵＥ１０６はまた、ＬＴＥアクセスネットワーク５０４を介してインターネット５１４にアクセスしてもよい。より具体的には、ＬＴＥアクセスネットワーク５０４はサービングゲートウェイとインタフェースしてもよく、サービングゲートウェイは次いで、パケットデータネットワーク（ＰＤＮ）ゲートウェイとインタフェースしてもよい。ＰＤＮゲートウェイは次いで、インターネット５１４とインタフェースしてもよい。従って、ＵＥ１０６は、ＬＴＥアクセスネットワーク５０４とＷｉ−Ｆｉアクセスネットワーク５０６のいずれか又は両方を介してインターネット５１４にアクセスしてもよい。
図６−例示的な複数のＷｉ−Ｆｉデバイスを有する通信システム
【００６１】
図６は、複数の異なるデバイスがＷｉ−Ｆｉ  ＲＡＴを使用して、２．４ＧＨｚ及び／又は５ＧＨｚの周波数帯域などの特定帯域において互いに通信できる例示的通信システムを示す。５ＧＨｚ  Ｗｉ−Ｆｉ（ＩＥＥＥ８０２．１１  ａｃ／ｎ）が可能なデバイスは非常に一般的になっており、図６に示すように、ピアツーピアモード及び／又はステーションモードの両方で動作する。特定の周波数帯域、例えば５ＧＨｚ帯域におけるデータ通信は、音声、ビデオ、リアルタイム型トラフィック、及びベストエフォート型トラフィックを含むことができる。図示のデバイスは、カメラ（１１１）、タブレット（１１３）、メディアサーバ／ミニサーバ（１１５）、ポータブルコンピュータ（１０５、１１７）、アクセスポート／ルータ（１０３）、ゲームコントローラ（１１９）、スマートフォンなどのモバイルデバイス（１０７）、並びにスマートモニタ（１２１）、又は無線アクセスインタフェースを有するモニタ（１２３を伴う１２１）を含む。図６に示すように、多くのデバイスがＷｉ−Ｆｉ通信技術を用いて５ＧＨｚ帯域において通信してもよい。場合によっては、デバイスによって行われるＷｉ−Ｆｉ通信は、同じく５ＧＨｚ帯域において行われているＬＡＡ／ＬＴＥ−Ｕ通信の影響を受ける場合がある。
ＬＡＡ／ＬＴＥ−Ｕ信号の存在
【００６２】
ＬＴＥにおいて、キャリアアグリゲーション（ＣＡ）は、２つ以上のコンポーネントキャリア（ＣＣ）をアグリゲートして、より広範な伝送帯域幅、例えば最大１００ＭＨｚの帯域をサポートするためのプロセスを指す。ＵＥは、ＵＥの能力に応じて、１つ又は複数のＣＣ上で同時に受信又は送信してもよい。ＣＡが構成されている場合、ＵＥは、ネットワークとの１つのＲＲＣ接続を維持してもよい。ＵＥのＲＲＣ接続を管理するサービングセルはプライマリセル（ＰＣｅｌｌ）と呼ばれ、セカンダリセル（ＳＣｅｌｌ）はＰＣｅｌｌと共に一組のサービングセルを形成してもよい。ＣＡにおいて、ＵＥはＰＤＣＣＨを介して同時に複数のサービングセルにわたってスケジュールされてもよい。キャリアインジケータフィールド（ＣＩＦ）とのクロスキャリアスケジューリングは、サービングセルのＰＤＣＣＨが、別のサービングセル上のリソースをスケジュールすることを可能にする。すなわち、１つのＣＣ上のダウンリンク割当てを受信しているＵＥは、別のＣＣ上の関連するデータを受信してもよい。
【００６３】
ＬＡＡは、ＬＴＥバンド内キャリアアグリゲーションのサブカテゴリであり、そこではセカンダリキャリアの内の１つがアンライセンス（例えば５ＧＨｚ）帯域で動作しており、その帯域では、Ｗｉ−Ｆｉなど、別のＲＡＴによる通信もまた行われていてもよい。ＬＡＡキャリア内のリソースは、レガシーＣＡにおけるのと同様にスケジュールされる。すなわち、ＬＡＡキャリアに対するキャリアスケジューリング及び／又はクロスレイヤスケジューリングは、他のＣＡキャリア（ＰＤＣＣＨ又はｅＰＤＣＣＨ）に対するものと同じである。ＬＡＡ  Ｓｃｅｌｌは、２０個のスロットからなるフレーム構造３内で動作してもよく、成功したリッスンビフォアトーク（ＬＢＴ）手順に続いてアクセスされてもよい。図７は、先のサブフレームでＬＢＴ手順の完了が成功したと仮定した場合の、同一キャリアスケジューリング（２０１）の対応する例、及びクロスキャリアスケジューリング（２５１）の対応する例を提供する、典型的なＬＡＡ制御及びデータスケジューリングの例を示す。無線リソース制御（ＲＲＣ）サブフレームの開始位置が「ｓ０７」を示し、スロット１にＤＣＩが受信されない場合、ＵＥはスロット２のＰＤＣＣ／ｅＰＤＣＣＨを読み出して、ダウンリンクデータの可用性をチェックしてもよい。
【００６４】
図８はＬＢＴ手順の例示的フローチャートを示す。図９はＬＡＡ  ＬＢＴのための各種パラメータに対する例示的な値を有するテーブルを示す。図１０は５ＧＨｚ帯域におけるＷｉ−Ｆｉ  ＥＤＣＦ（拡張分散調整機能）に対する同一のパラメータに対する例示的な値を有するテーブルを示す。前述したように、ＬＡＡ通信（５ＧＨｚ帯域における）が存在すると、信号スループットの性能劣化、並びにＷｉ−Ｆｉ通信（５ＧＨｚ帯域における）のリアルタイムＶｏＩＰ及び／又はビデオ送信の性能低下につながり得る。
ＬＡＡ／ＬＴＥ−Ｕ信号の検出
【００６５】
いくつかの実施形態では、特定の周波数帯域内の第１のＲＡＴに従って動作する無線通信デバイスは、無線通信デバイスが特定の周波数帯域内の第１のＲＡＴに従って通信している間に、同じ周波数帯域内の第２のＲＡＴに従って実行される通信から無線信号を検出するように構成されていてもよい。例えば、いくつかの実施形態では、ピアツーピアモードで５ＧＨｚ帯においてＷｉ−Ｆｉ通信を実行する無線通信デバイス（例えばＷｉ−Ｆｉステーション及びアクセスポイント）はＬＡＡ信号を検出してもよい。一組の実施形態では、信号検出は、ＰＳＤ（パワースペクトル密度）帯域幅差分を通じて、及び／又はブラインドＰＳＳ／ＳＳＳ（１次同期信号／２次同期信号）復号を通じて行われてもよい。検出は、通常のＷｉ−Ｆｉ  ＲＸ動作中に又は動的周波数選択手順（レーダスキャン手順）中に、動的に実行されてもよい。別の一組の実施形態では、ピアツーピア無線リンクを使用して、ＬＡＡ小セルの位置及びＬＡＡ動作周波数をクラウドソーシングしてもよい。すなわち、ピアツーピア無線リンクを介して、異なるそれぞれの位置から得られたリアルタイム情報／データを通して、ＬＡＡ小セルの位置及びＬＡＡ動作周波数を決定することができる。更に、ＬＴＥモデムシグナリングを使用して、セルラ通信とＷｉ−Ｆｉ通信（例えば、スマートフォン、タブレット等）の両方を実行する無線通信デバイスの場合に適用可能であり得る、ＬＡＡチャネルに関する情報を取得してもよい。
【００６６】
ＬＡＡ信号の検出に基づいて、Ｗｉ−Ｆｉトラフィック（ステーションモード又はピアツーピアモードで動作しているかどうかに関わらず）に対するＬＡＡ信号の影響を緩和してもよい。調整可能であり得るＷｉ−Ｆｉ通信に関連する特性及び／又はパラメータには、いくつか例を挙げると、Ｗｉ−Ｆｉレートアダプテーション（ＡＭＰＤＵ）、Ｗｉ−Ｆｉチャネル／帯域選択、Ｗｉ−Ｆｉ音声／ビデオトラフィックタギングＷＭＭ（Ｗｉ−Ｆｉマルチメディア）、Ｗｉ−Ｆｉゲーミング／制御トラフィックＷＷＭ、及び／又はデータトラフィックがある。
ＬＴＥ信号及びＷｉ−Ｆｉ信号
【００６７】
例として、２０ＭＨｚ  ＬＴＥ信号は、１８ＭＨｚの送信ＢＷを事実上占有してもよい。そのような場合、信号は１２００の副搬送波を占有してもよく（換言すれば、信号によって占有される副搬送波の数は１２００であり）、各副搬送波は１５ＫＨｚ幅である（すなわち各副搬送波は１５ｋＨｚのＢＷを有する）。図１１の表６５０は、ＬＴＥ信号に対する異なるチャネルＢＷ構成に対応する、それぞれの最小出力電力（ｄＢｍ）及び送信ＢＷの例示的な概要を提供する。対照的に、２０ＭＨｚのＷｉ−Ｆｉ信号は、最小出力電力を適用可能な周波数スペクトルにわたってプロットした図１１のダイアグラム６００に示すように、各々が３１２．５ＫＨｚの副搬送波を５２個有して、１６．２５ＭＨｚのＢＷを事実上占有してもよい。ダイアグラム６００はまた、対応する８０２．１１ａ／ｇ送信スペクトラムマスク６０２を表す。
帯域通過フィルタ処理及び電力推定を用いたＬＡＡ信号検出
【００６８】
図１２は、上述したような、同じ周波数帯域内のＬＴＥ信号とＷｉ−Ｆｉ信号に関連する異なる特性／パラメータを考慮して、帯域通過フィルタ処理及び電力推定を用いてＬＡＡ信号を検出するための例示的方法を表すブロック図を示す。図１２に示すように、入力されたデジタルベースバンド信号を、異なる帯域幅を有する２つの異なる複素帯域通過フィルタ（７０２及び７０８）に通してフィルタを掛けた後に、ベースバンド信号の電力のデジタル推定を実行してもよい（７０４及び７１０において）。すなわち、受信されたデジタルベースバンド信号（例えば、直交ベースバンド信号Ｉ及びＱ）は、（存在するＷｉ−Ｆｉ信号に関連する）１６．２５ＭＨｚのＢＷを有する第１の帯域通過フィルタ７０２を通してフィルタに掛けられ、また、（存在するＬＴＥ信号及びＷｉ−Ｆｉ信号の両方に関連する）１８／２０ＭＨｚのＢＷを有する第２の帯域通過フィルタ７０８を通してフィルタに掛けられる。従って、１６．２５ＭＨｚ帯域幅でフィルタ処理された信号はＷｉ−Ｆｉチャネル（７０４）における電力を推定するために使用され、１８ＭＨｚ（又は２０ＭＨｚ）帯域幅でフィルタ処理された信号は、Ｗｉ−Ｆｉチャネルに対して取得された電力推定値を考慮して、ＬＴＥチャネル（７１０）における電力を推定するために使用される。従って、例えば電力推定に対応する線形値の比、又は電力推定に対応するｄＢ値の差を取得することによって、２つの電力推定値（７０４及び７１０からの）を比較することによって、フィルタ７０２からのフィルタ処理された信号に基づいて取得された電力計算に基づきＬＴＥ信号を検出することが可能である。これら電力推定の結果は次いで、ＬＡＡ信号検出アルゴリズム７０６において使用／提供されてもよい。
ＬＡＡパワースペクトル密度（ＰＳＤ）推定
【００６９】
一組の実施形態では、ＬＡＡ信号検出は、ＬＡＡ信号のパワースペクトル密度（ＰＳＤ）の決定／推定を通じてＷｉ−Ｆｉ受信機で実行されてもよい。Ｗｉ−Ｆｉ受信機は、ＬＴＥ信号用のアンライセンス帯域の全帯域をスキャンしてもよく、及び／又は周波数領域において特定チャネルをスキャンしてもよい。全帯域スキャンの場合、アンライセンス帯域のＰＳＤ推定値を取得してもよく、アルゴリズムを用いて、ＰＳＤ推定値に基づきＬＴＥ信号を検出してもよい。アルゴリズムは、取得された／推定されたＰＳＤをＬＴＥ  ＯＦＤＭ信号と相関させるように考案されてもよい。（ＰＳＤ毎に）ＬＴＥ信号が存在する場合、相関は矩形の形状となる。換言すれば、ＰＳＤの相関が１８ＭＨｚの帯域幅にわたる矩形の形状を有する場合、ＬＴＥ信号の存在を示す。このアルゴリズムはまた、送信帯域内のスペクトルの平坦性、及び１８ＭＨｚ送信帯域端におけるスペクトル低下に関する条件を組み込むように考案されてもよい。ＬＴＥとＷｉ−ＦｉではＲＦで使用される様々な要件及び整形フィルタが異なるゆえに異なる送信マスクで表されるため、これら条件を考慮することは検出能力を向上させることに役立ち得る。いくつかの実施形態では、ＰＳＤ推定は信号の自己相関のフーリエ変換であるペリオドグラムを通して実行してもよい。そのような推定の基本的なフローは、図１３に示す例示的ブロック図によって示される。そのような解決策のハードウェアの複雑さは比較的単純な場合があり、既存のＲＦハードウェアに対してＲＦハードウェアのいかなる修正も必要としない場合がある。例えば、Ｗｉ−ＦｉにおけるＡＤＣ（７５０）の出力でのＩ／Ｑサンプルは、いかなる特定のＬＴＥレシーバ実装も必要とせずに、例えば、既にＷｉ−Ｆｉトランシーバで利用可能であり得るＤＳＰ動作を実行することによって、ペリオドグラムを構築するために使用してもよい（７５４及び７５６を通して）。ＰＳＤ推定は、ペリオドグラム（７５８を介して）に基づいて取得することができる。
ＬＡＡ同期信号検出
【００７０】
一組の実施形態では、ＬＡＡ信号検出は、ＬＡＡ同期信号検出の検出を通じて、例えば１次同期信号（ＰＳＳ）及び／又は２次同期信号（ＳＳＳ）の検出を通じて、Ｗｉ−Ｆｉ受信機内で実行されてもよい。ダウンリンク方向のＬＡＡブロードキャスト同期信号のＦＤＤ（周波数分割複信）及びＴＤＤ（時分割複信）バージョンは両方ともＰＳＳ及びＳＳＳを含む。ＰＳＳ及びＳＳＳは、ＬＡＡにおけるＤＲＳ（復調基準信号）機会中にブロードキャストされる（ＤＲＳ機会はｅＮＢによって、すなわち基地局によって設定される）。１次同期信号（ＰＳＳ）は、典型的には、グループ内のセル識別情報を与える所定のＺａｄｏｆｆ−Ｃｈｕシーケンスに基づく。３つの可能なＺａｄｏｆｆ−Ｃｈｕシーケンス（２５、２９、及び３４）を使用してもよい。図１４はサブフレーム内のサブフレーム及びタイムスロットを示すＰＳＳ及びＳＳＳがいつ送信されるかを示す、例示的な無線フレームのダイアグラムを示す。
【００７１】
ＬＡＡを検出するために、無線通信デバイスは（例えば、図３に示すＵＥ１０６内のＷｉ−Ｆｉコントローラ３５０を介して）、その動作周波数の任意の信号を受信することができる。しかし、Ｗｉ−Ｆｉプリアンブルなしの信号を拒否するのではなく、すなわち、周波数帯域内で受信された信号であるが、信号に関連付けられているとデバイスが期待するＲＡＴ、に関連付けられていない信号を拒否することなく、受信機はＬＡＡ  ＰＳＳを探しても良い。例えば、Ｗｉ−Ｆｉコントローラは、受信信号ｘ（ｍ）と３つの可能なＺａｄｏｆｆ−ＣｈｕシーケンスＺ（ｍ）との間の時間領域におけるｘ相関を使用してもよい。上述のように、いくつかの実施形態では、３つの可能なＺａｄｏｆｆ−Ｃｈｕシーケンス（２５、２９、及び３４）を使用してもよい。検出されたＰＳＳ信号は次いで、以下の式に基づいて取得されてもよい。
2019511163.tif 000003
【００７２】
上式において、「ｎ」はシーケンスの長さを指す。図１５はＬＴＥ  ＰＳＳを検出するために受信信号ｘ（ｍ）とＺａｄｏｆｆ−Ｃｈｕシーケンスとの間のｘ相関を行うＷｉ−Ｆｉコントローラの例示的なシステム／方法を表す制御線図９００を示す。図１５に示すように、フロントエンドＲＦ回路９０２からの信号は、アナログ−デジタル変換器（ＡＤＣ）９０４に供給されてもよく、デジタル信号処理（例えば、サンプルレート変換器フィルタ処理）が、（９０６にて）デジタル化された信号に対して実施されてもよい。得られた直交信号はミキサ９０８に供給されて、所与のＺａｄｏｆｆ−Ｃｈｕシーケンス（９１０）と関連付けられてもよく、９１２においてサンプルが生成され、サンプルは次いで、９１４において閾値対信号対雑音比（ＳＮＲ）比の比較に使用される。図１５はまた、Ｚａｄｏｆｆ−Ｃｈｕシーケンス３４の実数部及び虚数部のそれぞれの振幅対時間をプロットした信号ダイアグラム９４０を含む。信号ダイアグラム９５０は、９１２からの検出信号出力の振幅対時間をプロットしている。図１６は、Ｚａｄｏｆｆ−Ｃｈｕシーケンス３４のそれぞれの信号ダイアグラム９４０（実数部と虚数部）のより詳細な例を示す。
ＬＡＡ／ＬＴＥ−Ｕ小セルのクラウドソーシング
【００７３】
いくつかの実施形態では、ピアツーピア接続は、ＬＡＡ／ＬＴＥ−Ｕ小セルをグループ化するために使用してもよい。ＬＡＡ通信の存在を検出するためには、Ｗｉ−Ｆｉコントローラ／ハードウェアのハードウェア又はシステムの変更が必要ない場合がある。この場合、２つの半静的アプローチを用いて、チャネル内のＬＡＡの存在を「検出」してもよい。
【００７４】
第１のアプローチは、クラウドソーシング及びピアツーピア接続に基づいてもよい。Ｗｉ−Ｆｉコントローラは、例えば、新しいＵＥからのフィードバックによって、検出されたＬＡＡチャネル及び位置を用いて更新されてもよい。Ｗｉ−Ｆｉデバイスは、Ｗｉ−Ｆｉポジショニングを使用してそれぞれの位置を推定して、（それぞれの）位置をピアツーピアデータと相関させて、動作中のＬＡＡセル及びその動作チャネルを取り出してもよい。
【００７５】
第２のアプローチは、Ｗｉ−Ｆｉが可能であることに加えてセルラも可能であるデバイスに適用可能であり得る。ＬＴＥ  ＲＲＣシグナリングが、５ＧＨｚ帯域におけるＣＡ（キャリアアグリゲーション）がｅＮＢでサポートされ、かつＮＷ（例えば、ｅＮＢ）が５ＧＨｚ内のキャリア組み合わせを提供することを示す場合には、セルラコントローラ（例えば、ＵＥ１０６用の図３に示すコントローラ３５２）は、この情報をＵＥ内のＷｉ−Ｆｉコントローラ及び／又はＷｉ−Ｆｉドライバと共有してもよい。Ｗｉ−Ｆｉドライバ（及び／又はＷｉ−Ｆｉコントローラ）は、この情報を使用して、ＬＡＡ／ＬＴＥ−Ｕセルが動作することが知られている周波数／チャネルでＷｉ−Ｆｉ性能の緩和を実行してもよい。
ＬＡＡ影響緩和のためのＷｉ−Ｆｉ／ＡＰ拡張サポート
【００７６】
図１７はＷｉ−Ｆｉ通信に対するＬＡＡの影響を緩和するための、無線通信デバイス内のアーキテクチャレイヤ間の干渉を表すブロック図を示す。いくつかの実施形態では、ＷＬＡＮ／Ｗｉ−Ｆｉ（ピアツーピア）ドライバ１０１０は、Ｗｉ−Ｆｉ／ＬＡＡ影響緩和を実行するように構成されていてもよい。図１７に示すように、ＷＬＡＮ／Ｗｉ−Ｆｉピアツーピアマネージャ／ドライバ１０１０は、ＩＰＣ（プロセス間通信）レイヤ１０１２を介してＭＡＣレイヤ１０１４と通信して、Ｗｉ−Ｆｉ通信に対するＬＡＡ影響を緩和してもよい。物理レイヤ（ＰＨＹ）４３２におけるＬＡＡ信号／波形の検出は、ＷＬＡＮ／Ｗｉ−Ｆｉピアツーピアドライバ／マネージャ１０１０（ＷＭＭがイネーブルされている場合がある）に示され、場合により、ＬＡＡ信号／波形検出に応答してＷｉ−Ｆｉ通信チャネルを変更してもよい。行なわれている可能性のあるＷｉ−Ｆｉ通信のタイプには、アプリケーション（単数又は複数）１００２、ＶｏＩＰ１００４及び／又はビデオ１００６に関連するデータ送信が含まれてもよい。
図１８−ピアツーピア動作モードにおけるＬＡＡ影響緩和のための例示的方法のフロー図
【００７７】
図１８はいくつかの実施形態による、ピアツーピア動作モードにおけるＷｉ−Ｆｉ通信に対するＬＡＡの影響を緩和する例示的方法のフロー図１１００を示す。図１８に示すように、無線通信デバイス（例えば、ＵＥ１０６用の図３に示すＷｉ−Ｆｉコントローラ３５０）内のＷｉ−Ｆｉコントローラ、又はＷｉ−Ｆｉを介してピアツーピアモードで通信する任意のデバイスは、Ｗｉ−Ｆｉ通信が行われている周波数帯域、例えば５ＧＨｚ帯域（１１０２）内の動作チャネル内のセルラ通信の存在を検出してもよい。より具体的には、Ｗｉ−Ｆｉコントローラは、動作チャネル上でＷｉ−Ｆｉ通信を実行しながら、５ＧＨｚ帯域内の動作チャネルにおけるＬＡＡ／ＬＴＥ−Ｕ信号／通信の存在を検出してもよい。Ｗｉ−Ｆｉコントローラは、ＬＡＡ／ＬＴＥ−Ｕ通信が動作チャネル内に存在することをピアツーピア接続の他のピアに通知してもよく（１１０４）、（Ｗｉ−Ｆｉコントローラを含む）デバイスによって他のピアに対して実行されるピアツーピアＷｉ−Ｆｉ通信に対する、ＬＡＡ／ＬＴＥ−Ｕ通信の影響を緩和するための最も適切な行動方針を決定するための、様々なタスクを実行してもよい。タスクは、トラフィックタイプ（１１０６、１１２０、及び１１２２において）、サポートしている各種通信モード（１１０８）、及びサポートしている各種プロトコルデータユニット（１１２４）を識別することを含んでもよい。識別に基づいて、Ｗｉ−Ｆｉ通信の様々な特性及び／又はパラメータが調整されてもよい。そのような調整は、１１２６、１１１４（１１０８からの肯定的指示に応答して）、１１１６（１１１０からの肯定的指示に応答して）、及び１１１８（１１１２からの肯定的指示に応答して）に記載された調整を含んでもよい。調整は、Ｗｉ−Ｆｉ通信を継続するために別の周波数帯域の動作チャネルに切り替えることを含んでもよい（１１１２、１１１８）。
【００７８】
（少なくとも図１８〜図２０を参照すると）ＡＩＦＳＮはアービトレーションフレーム間隔番号を指し、ＣＷｍａｘはコンテンションウィンドウの最大サイズを指すことに留意されたい。ＡＩＳＦ及びＣＷはＷｉ−Ｆｉ衝突回避に使用される。Ｗｉ−Ｆｉにおけるパケット衝突は、様々な高レベルフレームタイプ（例えば、制御フレーム対データフレーム）に対するフレーム間隔、又はＷｉ−Ｆｉ局間の調整の中心的な起点がないので、無線送信機の分散ミディアムコンテンションロジックの中にランダム性を導入するためのコンテンションウィンドウ、を含む様々なＷｉ−Ｆｉ衝突回避メカニズムを通して回避／最小化されてもよい。
図１９−ＡＰ動作モードにおけるＬＡＡ影響緩和のための例示的方法のフロー図
【００７９】
図１９はいくつかの実施形態による、ＡＰ動作モードにおけるＷｉ−Ｆｉ通信に対するＬＡＡの影響を緩和する例示的方法のフロー図１２００を示す。図１９に示すように、Ｗｉ−Ｆｉを介して通信するＷｉ−Ｆｉアクセスポイント（ＡＰ）デバイスは、Ｗｉ−Ｆｉ通信が行われている周波数帯域、例えば５ＧＨｚ帯域（１２０２）内のピアツーピア動作チャネル内のセルラ通信の存在を検出してもよい。より具体的には、Ｗｉ−Ｆｉ  ＡＰは、動作チャネル上でＷｉ−Ｆｉ通信を実行しながら、５ＧＨｚ帯域内の動作チャネルにおけるＬＡＡ／ＬＴＥ−Ｕ信号／通信の存在を検出してもよい。Ｗｉ−Ｆｉ  ＡＰ（これらタスクを実行するＷｉ−Ｆｉコントローラを含んでもよい）によって実行されたＷｉ−Ｆｉ通信に対する、ＬＡＡ／ＬＴＥ−Ｕ通信の影響を緩和するための最適な行動指針を決定するために、Ｗｉ−Ｆｉ  ＡＰは様々なタスクを実行してもよい。タスクは、トラフィックタイプ（１２０４、１２１８）、様々なサポートされた通信モード（１２０６）、及び様々なサポートされたプロトコルデータユニット（１２２０）を識別することを含んでもよい。識別に基づいて、Ｗｉ−Ｆｉ通信の様々な特性及び／又はパラメータが調整されてもよい。そのような調整は、１２２２、１２１２（１２０６からの肯定的指示に応答して）、１２１４（１２０８からの肯定的指示に応答して）、及び１２１６（１２１０からの肯定的指示に応答して）に記載された調整を含んでもよい。調整は、Ｗｉ−Ｆｉ通信を継続するために別の周波数帯域の動作チャネルに切り替えることを含んでもよい（１２１０、１２１６）。
図２０−ステーション動作モードにおけるＬＡＡ影響緩和のための例示的方法のフロー図
【００８０】
図２０はいくつかの実施形態による、ステーション動作モードにおけるＷｉ−Ｆｉ通信に対するＬＡＡの影響を緩和する例示的方法のフロー図１３００を示す。図１８に示すように、Ｗｉ−Ｆｉを介して別のピアと通信しているＷｉ−Ｆｉステーションは、Ｗｉ−Ｆｉ通信が行われている周波数帯域、例えば５ＧＨｚ帯域（１３０２）内のピアツーピア動作チャネル内のセルラ通信の存在を検出してもよい。より具体的には、Ｗｉ−Ｆｉステーションは、動作チャネル上でＷｉ−Ｆｉ通信を実行しながら、５ＧＨｚ帯域内の動作チャネルにおけるＬＡＡ／ＬＴＥ−Ｕ信号／通信の存在を検出してもよい。Ｗｉ−Ｆｉ  ＡＰステーション（これらタスクを実行するＷｉ−Ｆｉコントローラを含んでもよい）によって実行されたＷｉ−Ｆｉ通信に対する、ＬＡＡ／ＬＴＥ−Ｕ通信の影響を緩和するための最適な行動指針を決定するために、Ｗｉ−Ｆｉ  ＡＰステーションは様々なタスクを実行してもよい。タスクは、トラフィックタイプ（１３０４、１３１８）、様々なサポートされた通信モード（１３０６）、及び様々なサポートされたプロトコルデータユニット（１３２０）を識別することを含んでもよい。識別に基づいて、Ｗｉ−Ｆｉ通信の様々な特性及び／又はパラメータが調整されてもよい。そのような調整は、１３２２、１３１２（１３０６からの肯定的指示に応答して）、１３１４（１３０８からの肯定的指示に応答して）、及び１３１６（１３１０からの肯定的指示に応答して）に記載された調整を含んでもよい。調整は、Ｗｉ−Ｆｉ通信を継続するために別の周波数帯域の動作チャネルに切り替えることを含んでもよい（１３１０、１３１６）。
【００８１】
本発明の実施形態は、様々な形態のいずれかで実現されてもよい。例えば、いくつかの実施形態では、本発明はコンピュータに実行される方法、コンピュータ可読メモリ媒体、又はコンピュータシステムとして実現されてもよい。他の実施形態では、本発明は、ＡＳＩＣなどの、１つ以上のカスタム設計されたハードウェアデバイスを使用して実現することができる。他の実施形態では、本発明は、ＦＰＧＡなどの、１つ以上のプログラム可能なハードウェア要素を使用して実現することができる。
【００８２】
いくつかの実施形態では、非一時的コンピュータ可読メモリ媒体（例えば非一時的記憶要素）は、プログラム命令及び／又はデータを記憶し、プログラム命令は、コンピュータシステムによって実行されたときに、そのコンピュータシステムに方法を、例えば、本明細書で説明した方法実施形態のいずれか、又は本明細書で説明した方法実施形態の任意の組み合わせ、又は本明細書で説明した方法実施形態のいずれかの任意のサブセット、又はそのようなサブセットの任意の組み合わせ、を実行させるように構成されていてもよい。
【００８３】
いくつかの実施形態では、デバイス（例えばＵＥ）は、プロセッサ（又はプロセッサのセット）及びメモリ媒体（又はメモリ要素）を含むように構成されていてもよく、メモリ媒体はプログラム命令を記憶し、プロセッサは、メモリ媒体からプログラム命令を読み出して実行するように構成されており、プログラム命令は本明細書で説明した様々な方法実施形態のいずれか（若しくは本明細書で説明した方法実施形態の任意の組み合わせ、又は本明細書で説明した方法実施形態のいずれかの任意のサブセット、又はそのようなサブセットの任意の組み合わせ）を実施するために実行可能である。デバイスは、様々な形態のいずれかで実現されてもよい。
【００８４】
上述の実施形態は十分に詳細に記載されているが、上述の開示が十分に理解されれば、当業者には数多くの変形形態及び修正形態が明らかとなるであろう。以下の特許請求の範囲は、そのような変形形態及び修正形態の全てを包含すると解釈されることを意図している。
【図１】
2019511163.tif 000004
【図２】
2019511163.tif 000005
【図３】
2019511163.tif 000006
【図４】
2019511163.tif 000007
【図５】
2019511163.tif 000008
【図６】
2019511163.tif 000009
【図７】
2019511163.tif 000010
【図８】
2019511163.tif 000011
【図９】
2019511163.tif 000012
【図１０】
2019511163.tif 000013
【図１１】
2019511163.tif 000014
【図１２】
2019511163.tif 000015
【図１３】
2019511163.tif 000016
【図１４】
2019511163.tif 000017
【図１５】
2019511163.tif 000018
【図１６】
2019511163.tif 000019
【図１７】
2019511163.tif 000020
【図１８】
2019511163.tif 000021
【図１９】
2019511163.tif 000022
【図２０】
2019511163.tif 000023
【手続補正書】
【提出日】平成30年8月20日(2018.8.20)
【手続補正１】
【補正対象書類名】明細書
【補正対象項目名】００５５
【補正方法】変更
【補正の内容】
【００５５】
いくつかの実施形態では、無線機３３０は様々なそれぞれのＲＡＴ標準のための通信制御に専用の別個のコントローラを含んでもよい。例えば、図３に示すように、無線機３３０は、Ｗｉ−Ｆｉコントローラ３５１、セルラコントローラ（例えばＬＴＥコントローラ）３５２、及びＢＬＵＥＴＯＯＴＨ（商標）コントローラ３５４を含んでもよく、少なくともいくつかの実施形態において、これらのコントローラの１つ以上又は全部が、互いに通信する、及びＳＯＣ３００と（より具体的にはプロセッサ（単数又は複数）３０２と）通信する、対応する集積回路（略してＩＣ又はチップ）として実装されてもよい。例えば、Ｗｉ−Ｆｉコントローラ３５１はセル−ＩＳＭリンク又はＷＣＩインタフェースを介してセルラコントローラ３５２と通信してもよく、及び／又はＢＬＵＥＴＯＯＴＨ（商標）コントローラ３５４はセル−ＩＳＭリンク等を介してセルラコントローラ３５２と通信してもよい。無線機３３０内には３つの個別のコントローラが示されているが、他の実施形態は、ＵＥデバイス１０６に実施され得る様々な異なるＲＡＴのための、より少ない又はより多くの同様のコントローラを有する。
図４−例示的な基地局のブロック図
【手続補正２】
【補正対象書類名】明細書
【補正対象項目名】００７１
【補正方法】変更
【補正の内容】
【００７１】
ＬＡＡを検出するために、無線通信デバイスは（例えば、図３に示すＵＥ１０６内のＷｉ−Ｆｉコントローラ３５１を介して）、その動作周波数の任意の信号を受信することができる。しかし、Ｗｉ−Ｆｉプリアンブルなしの信号を拒否するのではなく、すなわち、周波数帯域内で受信された信号であるが、信号に関連付けられているとデバイスが期待するＲＡＴ、に関連付けられていない信号を拒否することなく、受信機はＬＡＡ  ＰＳＳを探しても良い。例えば、Ｗｉ−Ｆｉコントローラは、受信信号ｘ（ｍ）と３つの可能なＺａｄｏｆｆ−ＣｈｕシーケンスＺ（ｍ）との間の時間領域におけるｘ相関を使用してもよい。上述のように、いくつかの実施形態では、３つの可能なＺａｄｏｆｆ−Ｃｈｕシーケンス（２５、２９、及び３４）を使用してもよい。検出されたＰＳＳ信号は次いで、以下の式に基づいて取得されてもよい。
2019511163.tif 000024
【手続補正３】
【補正対象書類名】明細書
【補正対象項目名】００７６
【補正方法】変更
【補正の内容】
【００７６】
図１７はＷｉ−Ｆｉ通信に対するＬＡＡの影響を緩和するための、無線通信デバイス内のアーキテクチャレイヤ間の干渉を表すブロック図を示す。いくつかの実施形態では、ＷＬＡＮ／Ｗｉ−Ｆｉ（ピアツーピア）ドライバ１０１０は、Ｗｉ−Ｆｉ／ＬＡＡ影響緩和を実行するように構成されていてもよい。図１７に示すように、ＷＬＡＮ／Ｗｉ−Ｆｉピアツーピアマネージャ／ドライバ１０１０は、ＩＰＣ（プロセス間通信）レイヤ１０１２を介してＭＡＣレイヤ１０１４と通信して、Ｗｉ−Ｆｉ通信に対するＬＡＡ影響を緩和してもよい。物理レイヤ（ＰＨＹ）１０１６におけるＬＡＡ信号／波形の検出は、ＷＬＡＮ／Ｗｉ−Ｆｉピアツーピアドライバ／マネージャ１０１０（ＷＭＭがイネーブルされている場合がある）に示され、場合により、ＬＡＡ信号／波形検出に応答してＷｉ−Ｆｉ通信チャネルを変更してもよい。行なわれている可能性のあるＷｉ−Ｆｉ通信のタイプには、アプリケーション（単数又は複数）１００２、ＶｏＩＰ１００４及び／又はビデオ１００６に関連するデータ送信が含まれてもよい。
図１８−ピアツーピア動作モードにおけるＬＡＡ影響緩和のための例示的方法のフロー図
【手続補正４】
【補正対象書類名】明細書
【補正対象項目名】００７７
【補正方法】変更
【補正の内容】
【００７７】
図１８はいくつかの実施形態による、ピアツーピア動作モードにおけるＷｉ−Ｆｉ通信に対するＬＡＡの影響を緩和する例示的方法のフロー図１１００を示す。図１８に示すように、無線通信デバイス（例えば、ＵＥ１０６用の図３に示すＷｉ−Ｆｉコントローラ３５１）内のＷｉ−Ｆｉコントローラ、又はＷｉ−Ｆｉを介してピアツーピアモードで通信する任意のデバイスは、Ｗｉ−Ｆｉ通信が行われている周波数帯域、例えば５ＧＨｚ帯域（１１０２）内の動作チャネル内のセルラ通信の存在を検出してもよい。より具体的には、Ｗｉ−Ｆｉコントローラは、動作チャネル上でＷｉ−Ｆｉ通信を実行しながら、５ＧＨｚ帯域内の動作チャネルにおけるＬＡＡ／ＬＴＥ−Ｕ信号／通信の存在を検出してもよい。Ｗｉ−Ｆｉコントローラは、ＬＡＡ／ＬＴＥ−Ｕ通信が動作チャネル内に存在することをピアツーピア接続の他のピアに通知してもよく（１１０４）、（Ｗｉ−Ｆｉコントローラを含む）デバイスによって他のピアに対して実行されるピアツーピアＷｉ−Ｆｉ通信に対する、ＬＡＡ／ＬＴＥ−Ｕ通信の影響を緩和するための最も適切な行動方針を決定するための、様々なタスクを実行してもよい。タスクは、トラフィックタイプ（１１０６、１１２０、及び１１２２において）、サポートしている各種通信モード（１１０８）、及びサポートしている各種プロトコルデータユニット（１１２４）を識別することを含んでもよい。識別に基づいて、Ｗｉ−Ｆｉ通信の様々な特性及び／又はパラメータが調整されてもよい。そのような調整は、１１２６、１１１４（１１０８からの肯定的指示に応答して）、１１１６（１１１０からの肯定的指示に応答して）、及び１１１８（１１１２からの肯定的指示に応答して）に記載された調整を含んでもよい。調整は、Ｗｉ−Ｆｉ通信を継続するために別の周波数帯域の動作チャネルに切り替えることを含んでもよい（１１１２、１１１８）。
【手続補正５】
【補正対象書類名】図面
【補正対象項目名】図３
【補正方法】変更
【補正の内容】
【図３】
2019511163.tif 000025
【手続補正６】
【補正対象書類名】図面
【補正対象項目名】図１７
【補正方法】変更
【補正の内容】
【図１７】
2019511163.tif 000026
【手続補正７】
【補正対象書類名】図面
【補正対象項目名】図１８
【補正方法】変更
【補正の内容】
【図１８】
2019511163.tif 000027
【手続補正８】
【補正対象書類名】図面
【補正対象項目名】図１９
【補正方法】変更
【補正の内容】
【図１９】
2019511163.tif 000028
【手続補正９】
【補正対象書類名】図面
【補正対象項目名】図２０
【補正方法】変更
【補正の内容】
【図２０】
2019511163.tif 000029
【国際調査報告】
2019511163.tif 000030
2019511163.tif 000031